(57)【要約】【課題】  支持剛性を維持したまま、車室等の車両内空間への影響を可及的に抑制し得るラップアウタプリテンショナーの配設構造を提供する。【解決手段】  左右一対のサイドシル１３と、シートに着座する乗員の腰部を拘束するラップベルト５と、このラップベルト５の端部に接続され車両の衝突を検知した場合にラップベルト５を引き締める方向に駆動するラップアウタプリテンショナー１０とを備える。このラップアウタプリテンショナー１０がサイドシル１３における車室側の側面に配設される。このラップアウタプリテンショナー１０が配設されるサイドシル１３には、その車室側の側面が車幅方向外方に凹陥して収納凹部１８が形成される。この収納凹部１８内にラップアウタプリテンショナー１０の少なくも一部が配設されている。【選択図】      図３
2006199197.tif 000002
【特許請求の範囲】
【請求項１】
車体の前後方向に延びこの延出方向に直交する断面が閉断面として形成された左右一対のサイドシルと、シートに着座する乗員の腰部を拘束するラップベルトと、このラップベルトの端部に接続され所定の場合に上記ラップベルトを引き締める方向に駆動するラップアウタプリテンショナーとを備え、このラップアウタプリテンショナーが少なくとも一方のサイドシルにおける車室側の側面に配設されたラップアウタプリテンショナーの配設構造において、
このラップアウタプリテンショナーが配設されるサイドシルには、その車室側の側面が車幅方向外方に凹陥して収納凹部が形成され、この収納凹部内に上記ラップアウタプリテンショナーの少なくとも一部が配設されていることを特徴とするラップアウタプリテンショナーの配設構造。
【請求項２】
車幅方向に延びて両端が上記サイドシルに接合されるクロスメンバを更に備え、このクロスメンバにおける車幅方向の端部が上記収納凹部内ないしは収納凹部近傍位置に接合されていることを特徴とする請求項１記載のラップアウタプリテンショナーの配設構造。
【請求項３】
上記クロスメンバは、その両端部が少なくとも車体前側に突出して形成され、この突出部が上記収納凹部内に接合されていることを特徴とする請求項２記載のラップアウタプリテンショナーの配設構造。
【請求項４】
上記突出部の後方側のクロスメンバの所定部分に、ライン製造時に位置決めピンが挿入されることにより車体の位置決めを行う基準孔が設けられていることを特徴とする請求項３記載のラップアウタプリテンショナーの配設構造。
【請求項５】
上記クロスメンバはその車幅方向両端部にサイドシルの車室側の側面に接合される接合フランジ部を有し、少なくとも一部の接合フランジ部が上記サイドシルにおける収納凹部内に配置されていることを特徴とする請求項２ないし請求項４のいずれか１項に記載のラップアウタプリテンショナーの配設構造。
【請求項６】
上記ラップアウタプリテンショナーは、上記収納凹部内に接合された接合フランジ部に取り付けられていることを特徴とする請求項５記載のラップアウタプリテンショナーの配設構造。
【請求項７】
上記収納凹部に配設されたラップアウタプリテンショナーは、硬質のカバー部材によって覆われていることを特徴とする請求項１ないし請求項６のいずれか１項に記載のラップアウタプリテンショナーの配設構造。
【発明の詳細な説明】
【技術分野】
【０００１】
本発明は、車両のシートに着座する乗員の腰部を拘束するラップベルトの端部に接続され、衝撃が検出された場合や衝撃が検出されると予測される場合等に上記ラップベルトを引き締める方向に駆動するラップアウタプリテンショナーの車体における配設構造に関するものであり、より詳しくはこのラップアウタプリテンショナーのサイドシルに対する配設構造に関する。
【背景技術】
【０００２】
通常、自動車においては、自動車の衝突時や横転時等に乗員を拘束して乗員を衝撃などから保護するシートベルト装置が設けられている。このシートベルト装置は、一般的に、シート側方のセンターピラー内部に配設された、シートベルトを巻き取るためのリトラクタ（シートベルトリトラクタ）と、このリトラクタから引き出されたシートベルトを車体の上方側において支持するアッパアンカと、このアッパアンカに支持されたシートベルトの先端を車体の下方側において固定するロアアンカと、上記アッパアンカとロアアンカとの間で摺動しショルダーベルト部とラップベルト部とを分けるスリップガイド付きのタングと、シートに対して上記リトラクタやロアアンカが設けられた位置と反対側の側縁に設けられ、上記タングを着脱可能に嵌め込むバックルとを備えている。
【０００３】
近年、このシートベルト装置について、自動車が衝突した場合或いは衝突すると予測した場合など一定の減速度を検出した場合に、ばねや火薬などの力を用いてシートベルトを引き締める方向に駆動させて当該シートベルトに緊張力を付与するシートベルトプリテンショナーの開発が盛んに行われるようになってきている。このようなシートベルトプリテンショナーの中には、ロアアンカに取り付けられることによりラップベルトに接続され、所定の場合に当該ラップベルトを引き締める方向に駆動させるラップアウタプリテンショナーがある。従来、このようなラップアウタプリテンショナーは、カバー部材が取り付けられた上で、シートの側方位置であって、車体前後方向に延びるサイドシルにおける車室側の側面に取り付けられることにより配設されているものがあった（特許文献１参照）。
【特許文献１】特開２００４―３５９０２８号公報
【発明の開示】
【発明が解決しようとする課題】
【０００４】
上記特許文献１に記載のラップアウタプリテンショナーの配設構造によれば、カバー部材にラップアウタプリテンショナーが取付られた後、車体の高剛性部材であるサイドシルの側面に取り付けられているので、ラップアウタプリテンショナーの支持剛性は高まるものの、ラップアウタプリテンショナーは、その分、車室側に突出して配設されることになり、この突出部分がシートの支持部材等の車載部材と干渉したり、或いはシートに着座する乗員の足下空間に進出したりするなど、車両内部空間に悪影響を及ぼすといった不都合があった。
【０００５】
特に、近年、このようなラップアウタプリテンショナーは大型車だけでなく小型車にも搭載されることが望まれており、このような小型車にラップアウタプリテンショナーが配設された場合には、車両内部空間がさらに狭くなり、このような場合には当該ラップアウタプリテンショナーが足下空間等の車両内部空間に与える影響が大型車に比べてさらに大きなものとなる。
【０００６】
本発明は、上記の事情に鑑みてなされたものであり、支持剛性を維持したまま、車室等の車両内空間への影響を可及的に抑制し得るラップアウタプリテンショナーの配設構造を提供することを目的としている。
【課題を解決するための手段】
【０００７】
上記課題を解決するために、この発明に係るラップアウタプリテンショナーの配設構造は、車体の前後方向に延びこの延出方向に直交する断面が閉断面として形成された左右一対のサイドシルと、シートに着座する乗員の腰部を拘束するラップベルトと、このラップベルトの端部に接続され所定の場合に上記ラップベルトを引き締める方向に駆動するラップアウタプリテンショナーとを備え、このラップアウタプリテンショナーが少なくとも一方のサイドシルにおける車室側の側面に配設されたラップアウタプリテンショナーの配設構造において、このラップアウタプリテンショナーが配設されるサイドシルには、その車室側の側面が車幅方向外方に凹陥して収納凹部が形成され、この収納凹部内に上記ラップアウタプリテンショナーの少なくとも一部が配設されていることを特徴とするものである。
【０００８】
この発明によれば、このラップアウタプリテンショナーが取り付けられるサイドシルには、その車室側の側面が車幅方向外方に凹陥して収納凹部が形成され、この収納凹部内に上記ラップアウタプリテンショナーの少なくとも一部が配設されているので、ラップアウタプリテンショナーによるその車室側への突出量を減少ないしは無くすことができ、車室等の車両内部空間への影響を可及的に抑制することができる。しかも、サイドシルの側面を凹陥させることにより収納凹部が形成されているので、このサイドシルの強度を向上させることができるとともに、この収納凹部によって剛性が高まった部分にラップアウタプリテンショナーが配設されるので、当該プリテンショナーの支持剛性も向上させることができる。従って、衝突時や横転時等にこのラップアウタプリテンショナーに接続されるラップベルトに衝撃荷重が作用した場合でも、ラップベルトをこのラップアウタプリテンショナーに強固に支持させることができるとともに、当該プリテンショナーの性能を最大限に発揮させることができる。
【０００９】
この発明において、配設されたラップアウタプリテンショナー周辺の具体的構造は特に限定されるものではないが、例えば車幅方向に延びて両端が上記サイドシルに接合されるクロスメンバを更に備え、このクロスメンバにおける車幅方向の端部が上記収納凹部内ないしは収納凹部近傍位置に接合されているのが好ましい（請求項２）。
【００１０】
このように構成すれば、クロスメンバにより収納凹部内ないしは収納凹部近傍位置での剛性をさらに高めることができ、これによりラップアウタプリテンショナーの支持剛性もより一層向上させることができる。従って、このラップアウタプリテンショナーにラップベルトをより強固に支持させることができるとともに、当該プリテンショナーの性能を最大限に発揮させることができる。
【００１１】
この場合、上記クロスメンバは、その両端部が少なくとも車体前側に突出して形成され、この突出部が上記収納凹部内に接合されているのが好ましい（請求項３）。
【００１２】
このように構成すれば、突出部によってクロスメンバの剛性を向上させることができるとともに、これによってサイドシルにおける収納凹部での剛性をさらに高めることができる。従って、上記したように、ラップアウタプリテンショナーの支持剛性を向上させることができ、しかもこのラップアウタプリテンショナーにラップベルトをより強固に支持させることができるとともに、当該プリテンショナーの性能を最大限に発揮させることができる。
【００１３】
また、この場合、上記突出部の後方側のクロスメンバの所定部分に、ライン製造時に位置決めピンが挿入されることにより車体の位置決めを行う基準孔が設けられているのが好ましい（請求項４）。
【００１４】
すなわち、この種の車両の製造時には、車体を製造ラインに流し、このラインを流れる車体に対して各種ロボット等により溶接や組付作業等を行うのが一般的である。このように、ライン製造時に自動的に作業を行うオートメーション工程が含まれる場合には、ラインを流れる車体について位置決めを行っておく必要があり、例えば、この位置決めは、ラインに設けられた位置決めピンを車体の所定部分に設けられた基準孔に挿入することによって行われる。このような基準孔は車体の高剛性部材に設ける必要があるとともに、車種に応じて配設位置がある程度制限されており、この基準孔の設ける位置によってクロスメンバの配設位置が決定されることがある。従って、上記のようにクロスメンバについて突出部を設け、この突出部の後方におけるクロスメンバに上記基準孔を設けることにより、ラップアウタプリテンショナーの支持剛性を向上させつつ、上記基準孔を適正位置に配設することができる。
【００１５】
上記のようにクロスメンバを更に設ける場合には、上記クロスメンバはその車幅方向両端部にサイドシルの車室側の側面に接合される接合フランジ部を有し、少なくとも一部の接合フランジ部が上記サイドシルにおける収納凹部内に配置されているのが好ましい（請求項５）。
【００１６】
このように構成すれば、接合フランジ部によって収納凹部およびその周辺の剛性並びにラップアウタプリテンショナーの支持剛性を更に向上させることができる。
【００１７】
この場合、上記ラップアウタプリテンショナーは、上記収納凹部内の位置であって上記接合フランジ部から外れた位置でサイドシルに取り付けられているものであってもよいが、上記ラップアウタプリテンショナーは、上記収納凹部内に接合された接合フランジ部に取り付けられているのが好ましい（請求項６）。
【００１８】
このように構成すれば、ラップアウタプリテンショナーの支持剛性を更に向上させることができる。
【００１９】
ここで、上記収納凹部内に配設されたラップアウタプリテンショナーは車室内に開放されているものや、フロアマットなどの軟質のシートに覆われているものであってもよいが、上記収納凹部に配設されたラップアウタプリテンショナーは、硬質のカバー部材によって覆われているのが好ましい（請求項７）。
【００２０】
このように構成すれば、カバー部材によってラップアウタプリテンショナーが保護されるので、このプリテンショナーの損傷を効果的に防止することができるとともに、所望の性能を確実に発揮することができる。
【発明の効果】
【００２１】
この発明によれば、ラップアウタプリテンショナーによるその車室側への突出量を減少ないしは無くすことができ、車室内への影響を可及的に抑制することができるという利点がある。しかも、サイドシルの側面の収納凹部によって、このサイドシルの強度を向上させることができるとともに、この収納凹部によって剛性が高まった部分にラップアウタプリテンショナーが配設されるので、当該プリテンショナーの支持剛性も向上させることができる。従って、衝突時や横転時等にこのラップアウタプリテンショナーに接続されるラップベルトに衝撃荷重が作用した場合でも、ラップベルトをこのラップアウタプリテンショナーに強固に支持させることができるとともに、当該プリテンショナーの性能を最大限に発揮させることができる。
【発明を実施するための最良の形態】
【００２２】
本発明の好ましい実施の形態を図面に基づいて説明する。図１は、当実施形態に係る配設構造により配設されるラップアウタプリテンショナーを含む車両用シートベルト装置を示す概略斜視図である。なお、当実施形態では前後２列シートを有する車両において、前部シートのうちドライバーズシート（運転席）３を例にとって説明するが、１列シートや３列以上のシートを有する車両についても適用が可能であり、ナビシートを含めたいずれのシートであっても適用可能である。なお、各シートのうち最後部に位置するシートについてもそのシートの後方における車両内部空間への影響を抑制する観点から本発明の配設構造を適用することができる。
【００２３】
車両用シートベルト装置は、ドライバーズシート（以下、「前部シート」と称する）３に着座する乗員の肩部および胸部を拘束するショルダーベルト４および当該乗員の腹部や腰部を拘束するラップベルト５を備えたシートベルト６と、前部シート３の側方のセンターピラー７内部に配設された、シートベルトを巻き取るためのリトラクタ８（シートベルトリトラクタ）と、このリトラクタ８から引き出されたシートベルト６を車体の上方側ににおいて支持するアッパアンカ９と、このアッパアンカ９に支持されたシートベルト６（具体的にはラップベルト５）の先端を車体の下方側において支持するラップアウタプリテンショナー１０（以下、「ＲＯプリテンショナー」と略する）と、アッパアンカ９とＲＯプリテンショナー１０との間におけるシートベルト６に沿って摺動するタング１１と、前部シート３の左側に設けられタング１１を着脱自在に嵌め込むバックル１２とを有する三点式シートベルト機構からなっている。
【００２４】
なお、当実施形態のシートベルト６は、ショルダーベルト４とラップベルト５とが一本のウェビングで一体形成されたいわゆる連続タイプのものとして構成され、スリップガイド付きタング１１の位置によってショルダーベルト４とラップベルト５の長さを調整し得るものとなされているが、ショルダーベルトとラップベルトとの先端部が各々タングに接続され、両ベルトが分離されたいわゆる分離タイプのものやラップベルトだけのものであってもよい。また、上記リトラクタ８に、ショルダーベルト４の急激な引出を規制する図外のロードリミッタが設けられており、このロードリミッタに加え、車両の衝突発生時等、所定の減速度を検出した場合にシートベルト６を巻き取ることにより所定の張力を付与するプリテンショナーが設けられるものとしてもよい。
【００２５】
ＲＯプリテンショナー１０は、インフレータ型のもので、一方向に細長い筒状に形成されている。具体的には、ＲＯプリテンショナー１０は、イグナイタ、点火薬、推薬、細長のシリンダ１０１（図３、図４参照）、このシリンダ１０１中を移動するピストンなどを有し、このピストンにワイヤなどから構成される中継部１０２（図３、図４参照）を介してラップベルト５が接続されている。そして、所定の減速度を検出することにより車両の衝突を検知する衝突センサ（図示せず）からの信号に応じて、点火薬を点火させてガスを発生させ、このガスにより、ラップベルト５を引き込む方向に上記ピストンを、移動させて、移動後のピストンをロックすることによりラップベルトを瞬時に引き込んでロック可能に構成されている。また、このＲＯプリテンショナー１０は、図３および図４に示すように、その先端部にガイドローラ取付部１０３が配設され、このガイドローラ取付部１０３にはガイドローラ１０４が回転自在に支持されている。
【００２６】
ＲＯプリテンショナー１０は、図２〜図６に示すように、車体の前後方向に延びこの延出方向に直交する断面が閉断面として形成された左右一対のサイドシル１３の内側面（車室側側面）、具体的にはサイドシル１３に設けられた後述する収納凹部１８に取付ブラケット１０５，１０６によって取り付けられている。ここで、図２は当実施形態に係るＲＯプリテンショナーの配設構造を示す斜視図であり、図３は同配設構造の詳細を示す斜視図であり、図４は同配設構造の側面図であり、図５は後述するカバー部材が取り付けられた状態での図４におけるＶ−Ｖ線断面図に相当する断面図であり、図６は図４のＶＩ−ＶＩ線断面図である。
【００２７】
車体の下側部を構成するサイドシル１３は、図２および図５に示すように、基本的には車体前後方向に延びるサイドシルアウタ１３ａとこのサイドシルアウタ１３ａの車室側に配設されるサイドシルインナ１３ｂとで構成され、これらのアウタ１３ａおよびインナ１３ｂによって延出方向に直交する断面が閉断面１３ｃとして構成されている。
【００２８】
このサイドシル１３の上部には、センターピラー７およびリヤピラー１４の各下部がそれぞれ接合されている。また、サイドシル１３の内側部には、フロアパネル１５と、前部シート３を取り付けるための取付ブラケット１６と、クロスメンバ１７（第３クロスメンバ）との各側端部がそれぞれ接合されている。当実施形態では、車体の前後方向の位置について、サイドシル１３におけるセンターピラー７が取り付けられた位置より僅かに前側の位置に取付ブラケット１６が接合されているとともに、サイドシル１３におけるセンターピラー７が取り付けられた位置とリヤピラー１４が取り付けられた位置との間における位置にクロスメンバ１７が接合されている。
【００２９】
また、サイドシル１３の車室側の側面（内側面）、詳しくは断面ハット状に形成されたサイドシルインナ１３ｂの車室側の側面壁は、図３および図５に示すように、車幅方向外方に凹陥して車体前後方向に延びる収納凹部１８が形成されている。具体的には、この収納凹部１８は、取付ブラケット１６とクロスメンバ１７との間におけるサイドシルインナ１３ｂの側面壁を、図５に示すように、高さ方向上部および下部を残存させつつ、その中央部分についてプレス加工によって断面視略皿状に凹陥させることにより形成されている。この収納凹部１８は、収納凹部１８の底面から開口縁に向かうに従って順次拡開するように形成されており、従ってその高さ方向上下両側壁がテーパー状に傾斜した傾斜壁１８１となっている。さらに、この収納凹部１８の底面壁１８２には、その車高方向上部で、かつ、車体前後方向後部に、ＲＯプリテンショナー１０を取り付けるためのプリテンショナー用取付孔（図示せず）が穿設されている。
【００３０】
この収納凹部１８の深さは、当実施形態ではＲＯプリテンショナー１０の長手方向に直交するシリンダ径の約４分の１程度に設定されるとともに全長に亘って深さが一定に形成されている。また、収納凹部１８の幅（車高方向の長さ）は、ＲＯプリテンショナー１０の長手方向に直交するシリンダ径よりも大きく、好ましくはこの径の２倍よりも大きく形成されている。当実施形態では、収納凹部１８の最大幅は、シリンダ径の３倍程度であって、サイドシル１３の高さの約半分に設定されている。
【００３１】
取付ブラケット１６は、車幅方向外方および下方に開口する略箱状に形成され、その開口縁部に突設された取付フランジ１６１によってサイドシル１３およびフロアパネル１５に接合されている。そして、図６に示すように、この取付フランジ１６１の一部が上記収納凹部１８内に接合されている。また、取付ブラケット１６の上面壁には、その略中央部分に前部シート３を取り付けるための取付孔１６２が穿設されている。すなわち、この取付孔１６２にボルト等の締結具が挿入されて締結されることにより前部シート３が車体に取り付けられている。
【００３２】
クロスメンバ１７は、図２に示すように、車幅方向に延び両端がサイドシル１３に接合されるとともに下端がフロアパネル１５に接合されている。具体的には、図２ないし図６に示すように、クロスメンバ１７は、車幅方向に延びるメンバ本体１７１と、このメンバ本体１７１の車幅方向両端部に車体前側に突設されたメンバ突出部１７２（突出部に相当する）とを備え、図６に明示するように、メンバ本体１７１の車幅方向両端部がサイドシル１３の内側面における上記収納凹部１８の近傍位置（より具体的には収納凹部１８の後方側におけるサイドシル部分）に接合フランジ部１７１ａを介して接合されるとともに、メンバ突出部１７２がその一部において収納凹部１８内に配置された状態で接合フランジ部１７２ａ，１７２ｂを介してフロアパネル１５やサイドシル１３の内側面にそれぞれ接合されている。すなわち、クロスメンバ１７は、メンバ突出部１７２において接合フランジ部１７２ｂを介してその一部が収納凹部１８内に接合されている。
【００３３】
より具体的には、メンバ本体１７１は、長手方向に直交する断面がハット状に形成され、その下端部の接合フランジ部１７１ａでフロアパネル１５上に接合され、図２に二点鎖線で示すように、その上方に後部シート３１が取り付けられる。この後部シート３１は、平面視においてメンバ本体１７１の前端縁と後部シート３１の前端縁とが略一致するように配設されている。また、メンバ本体１７１の長手方向両端部における上面壁には、この車両のライン製造時において車体の位置決めを行うための位置決めピンが挿入される基準孔１７３が設けられている。すなわち、この種の車両の製造時には、車体を製造ラインに流し、このラインを流れる車体に対して各種ロボット等により溶接や組付作業等を行うのが一般的であるが、ライン製造時に自動的に作業を行うオートメーション工程が含まれる場合には、ラインを流れる車体について位置決めを行っておく必要があり、この位置決めを行うためにラインに設けられた位置決めピン（図示せず）が挿入される基準孔１７３がメンバ本体１７１の上面壁に設けられている。従って、上記のようにクロスメンバ１７についてメンバ突出部１７２を設け、この突出部１７２の後方におけるメンバ本体１７１の上面壁に基準孔１７３を設けることにより、ＲＯプリテンショナー１０の支持剛性を向上させつつ、基準孔１７３を適正位置に配設させている。
【００３４】
一方、メンバ突出部１７２は、上面壁が前下がりに形成されるとともに内側面壁（車幅方向内側の側面壁）が前側に向かうに従い車幅方向外方に傾斜して形成され、これにより車体前後方向に直交する閉断面が先細り状に形成されている。また、メンバ突出部１７２は、その下端にフロアパネル１５に沿った接合フランジ部１７２ａが設けられるとともに、そのサイドシル１３に当接される端縁にこのサイドシル１３の内側面に沿った接合フランジ部１７２ｂが設けられている。このサイドシル１３の内側面に沿った接合フランジ部１７２ｂは、図５に明示するように、収納凹部１８の形状に沿って屈曲形成されており、高さ方向両端部が収納凹部１８から外れた位置に接合されている。
【００３５】
ここで、上記構成の車体下部構造におけるＲＯプリテンショナー１０の配設構造について、図３ないし図６を用いて具体的に説明する。
【００３６】
ＲＯプリテンショナー１０は、車体の前後方向に略沿ってサイドシル１３の収納凹部１８内に配設されている。つまり、ＲＯプリテンショナー１０は、サイドシル１３の収納凹部１８内に側部の一部を収納させ、かつ、その軸線方向（長手方向）を車体前後方向に対して傾斜させた状態で、当該収納凹部１８の底面壁１８２に取付ブラケット１０５，１０６を介して取り付けられている。特に、ＲＯプリテンショナー１０のシリンダ１０１を支持する取付ブラケット１０５は、シリンダ１０１との相対移動を規制した状態で、図５に示すように、シリンダ１０１の周面に沿って１周巻回され、その両端部がクロスメンバ１７の接合フランジ部１７２ｂと収納凹部１８の底面壁１８２との重合部分にボルト等の締結具１９によって強固に取り付けられている。
【００３７】
ＲＯプリテンショナー１０の傾斜状態は、サイドシル１３の収納凹部１８の最大幅の範囲内で前下がり状態となされている。そして、このＲＯプリテンショナー１０の後端部がクロスメンバ１７のメンバ突出部１７２の上面壁に沿ってその上方に位置するように配設され、ＲＯプリテンショナー１０が車体前後方向について効率よく配設されている。なお、このメンバ突出部１７２の上方に配設されるＲＯプリテンショナー１０の長さは特に限定されるものではない。
【００３８】
このようにサイドシル１３に配設されたＲＯプリテンショナー１０は、図５に示すように、サイドシル１３に形成された収納凹部１８の大きさに対応して形成された、鋼板や硬質合成樹脂などからなる硬質のカバー部材２０によって被覆されている。すなわち、このカバー部材２０は、収納凹部１８の幅よりも大きく形成された略Ｕ字状に形成され、その上面壁がサイドシルインナ１３ｂの上面に当接するとともにその下端縁が収納凹部１８よりも下方のサイドシル１３の内側面に当接するように形成されている。このカバー部材２０は、取付ブラケット１６とクロスメンバ１７との間に、収納凹部１８を隠蔽する態様で嵌着され、これによりＲＯプリテンショナー１０を確実に保護し得るものとなされている。そして、このカバー部材２０やフロアパネル１５上にフロアマットなどのフロアトリム２１が積層され、その見栄えを向上させている。
【００３９】
以上に説明したように、ＲＯプリテンショナー１０は、後部シート３１の足下空間に配設されることになるが、上記構成のＲＯプリテンショナー１０の配設構造によれば、ＲＯプリテンショナー１０が取り付けられるサイドシル１３に収納凹部１８が形成され、この収納凹部１８内にＲＯプリテンショナー１０がその側部の一部を収納した状態で配設されるので、ＲＯプリテンショナー１０による車室側への突出量を減少させることができ、これにより車室内空間への影響を可及的に抑制することができる。従って、後部シート３１に着座する乗員の足下空間に与える影響を抑制できるとともに他の車載部材との干渉を可及的に抑制することができる。
【００４０】
しかも、サイドシル１３の内側面を凹陥させることにより収納凹部１８が形成されるとともに、クロスメンバ１７、特にメンバ突出部１７２がこの収納凹部１８内に接合されているので、収納凹部１８がビードとしての役目を果たすとともにクロスメンバ１７によってサイドシル１３が補強され、これによりサイドシル１３の剛性を飛躍的に向上させることができる。そして、剛性が高まったサイドシル１３の収納凹部１８内であってクロスメンバ１７の接合フランジ部１７２ｂが重ね合わされた部分に取付ブラケット１０５を介してＲＯプリテンショナー１０が取り付けられているので、当該ＲＯプリテンショナー１０のサイドシル１３による支持剛性も向上させることができる。これにより、車両の衝突時や横転時等にこのＲＯプリテンショナー１０が接続されるラップベルト５に衝撃荷重が作用した場合でも、サイドシル１３の変形を効果的に防止することによりＲＯプリテンショナー１０の取付姿勢を確実に維持して、ラップベルト５を含むシートベルト６を確実に支持することができる。また、ＲＯプリテンショナー１０の取付姿勢を確実に維持することができるので、当該プリテンショナー１０の性能を最大限に発揮することができる。
【００４１】
さらに、ＲＯプリテンショナー１０が、その軸線方向が車体前後方向に対して前下がりに傾斜させた状態で配設されているので、このＲＯプリテンショナー１０を配設するために必要な配設スペースを車体の前後方向について可及的に短縮することができる。従って、車長が比較的短く、車体前後方向についてスペースを確保し難い小型車においてもＲＯプリテンショナー１０を効率よく配設することができる。
【００４２】
しかも、ＲＯプリテンショナー１０は前下がり状態に傾斜させて配設されるとともに、その後端部がクロスメンバ１７，特にメンバ突出部１７２の上方に配設されているので、クロスメンバ１７のレイアウトについての自由度を向上させることができるとともに、このクロスメンバ１７を収納凹部１８内ないしその周辺に確実に配設してサイドシル１３の剛性を効果的に向上させることができる。
【００４３】
なお、以上に説明したＲＯプリテンショナーの配設構造は、本発明の構造に係る一実施形態であって、この構造の具体的構成等は、本発明の趣旨を逸脱しない範囲で適宜変更可能である。変形例を以下に説明する。
【００４４】
（１）上記実施形態では、サイドシル１３に設けられる収納凹部１８の深さを、ＲＯプリテンショナー１０の側部が一部収納可能なように設定されているが、この深さをＲＯプリテンショナー１０が完全ないしは略完全に収納可能な深さに設定するものであってもよい。また、上記実施形態では、収納凹部１８の深さは車体の前後方向について変わらず略一定のものとなされているが、車体の前側或いは後側に向かうに従って浅く或いは深くなるように形成してもよい。要は、収納凹部内にＲＯプリテンショナー１０の一部が収納可能であればその具体的態様まで限定されるものではない。
【００４５】
（２）上記実施形態では、ＲＯプリテンショナー１０はその軸線方向を車体前後方向に対して前下がりに傾斜させた状態で収納凹部１８内に配設されているが、ＲＯプリテンショナー１０を水平に配置するものであってもよく、また傾斜させる場合も前下がりだけでなく後下がりに傾斜させるものや車幅方向に傾斜させるものであってもよい。
【００４６】
ただし、ＲＯプリテンショナー１０を車体前後方向に対して傾斜させることによりＲＯプリテンショナー１０の配設スペースを車体の前後方向について短縮することができ、上記したように、効率よく配設することができるという利点がある。
【図面の簡単な説明】
【００４７】
【図１】当実施形態に係る配設構造により配設されるラップアウタプリテンショナーを含むシートベルト装置の一例を示す斜視図である。
【図２】当実施形態に係るＲＯプリテンショナーの配設構造を示す斜視図である。
【図３】同配設構造の詳細を示す斜視図である。
【図４】同配設構造の側面図である。
【図５】カバー部材が取り付けられた状態での図４におけるＶ−Ｖ線断面図に相当する断面図である。
【図６】図４のＶＩ−ＶＩ線断面図である。
【符号の説明】
【００４８】
３  前部シート
５  ラップベルト
６  シートベルト
１０  ラップアウタプリテンショナー（ＲＯプリテンショナー）
１３  サイドシル
１３ｃ  閉断面
１７  クロスメンバ
１８  収納凹部
２０  カバー部材
１７１  メンバ本体
１７２  メンバ突出部（突出部）
１７２ｂ  接合フランジ部
１７３  基準孔
【図１】
2006199197.tif 000003
【図２】
2006199197.tif 000004
【図３】
2006199197.tif 000005
【図４】
2006199197.tif 000006
【図５】
2006199197.tif 000007
【図６】
2006199197.tif 000008